(57)【要約】 【課題】チャックテープを開封しても袋体内の内容物がチャックテープの雌部材内に入り込まず、確実に再封鎖でき、且つ密封性が極めて高いチャックテープを提供する。【解決手段】雄用帯状基部（11）に連結部（12）を介して頭部（13）が形成された雄部材(１)と、雌用帯状基部（21）に内側鉤爪（22）と外側鉤爪（23）が形成された雌部材(２)とを備え、前記頭部（13）が前記内側鉤爪（22）と前記外側鉤爪（23）に咬合可能なチャックテープにおいて、前記雄部材(１)と前記雌部材(２)とが咬合状態で、少なくとも、前記内側鉤爪（22）の頂部（22a）と前記雄用帯状基部（11）とを当接させたことを特徴とする。【選択図】図１
0003117351.tif 000002
【実用新案登録請求の範囲】
【請求項１】
雄用帯状基部（11）に連結部（12）を介して頭部（13）が形成された雄部材（１)と、雌用帯状基部（21）に内側鉤爪（22）と外側鉤爪（23）が形成された雌部材（２）とを備え、前記頭部（13）が前記内側鉤爪（22）と前記外側鉤爪（23）に咬合可能なチャックテープにおいて、前記雄部材(１)と前記雌部材(２)とが咬合状態で、少なくとも、前記内側鉤爪（22）の頂部（22a）と前記雄用帯状基部（11）とを当接させたことを特徴とするチャックテープ。
【請求項２】
前記内側鉤爪（22）の前記頂部（22a）が、前記外側鉤爪（23）の頂部（23a）よりも高くした請求項１記載のチャックテープ。
【請求項３】
前記内側鉤爪（22）の前記頂部（22a）が、弾性変形可能な接触帯片（22b）を突出して成る請求項１記載のチャックテープ。
【請求項４】
前記内側鉤爪（22）の頂部（22a）と、前記外側鉤爪（23）の頂部（23a）との両方を前記雄用帯状基部（11）と当接させた請求項１記載のチャックテープ。
【請求項５】
前記内側鉤爪（22）の前記頂部（22a）と、前記外側鉤爪（23）の前記頂部（23a）が、弾性変形可能な接触帯片（22b），（23b）をそれぞれ突出して成る請求項４記載のチャックテープ。
【請求項６】
前記頭部（13）が、前記雌部材（２）の円弧状凹部（24）内面と密着させた請求項１又は４記載のチャックテープ。
【考案の詳細な説明】
【技術分野】
【０００１】
本考案は、合成樹脂製袋体の開口部に取付けられ、開口部を開閉自在に咬合するチャックテープに関する。
【背景技術】
【０００２】
従来、合成樹脂製袋体の開口部に帯状のチャックテープを取付けることにより、開閉自在とした袋体が多数使用されている。この袋体としては、一般的に内容物側からは容易に開かず、外側からは簡単に開けられるチャックテープが使用され、袋体内部の圧力でチャックテープが開封せず、内容物が袋体からこぼれ出る心配がないチャックテープが種々提案されている。
【０００３】
このようなチャックテープの一例としては、図８に示すように、雄用帯状基部（11）に連結部（12）を介して略矢尻状の頭部（13）を突出して一体成形した雄部材(１)と、雌用帯状基部（21）に円弧状凹部（24）を形成する内側鉤爪（22）と外側鉤爪（23）とを突出して一体成形した雌部材(２)から成る。そして、雄部材(１)と雌部材(２)が咬合状態においては、雌部材(２)の内側鉤爪（22）が外側鉤爪（23）よりも深く雄部材(１)の頭部（13）と咬合しており、内容物が入る内側からは容易に開封できず、外側からは簡単に開封できる構成になっている。
【０００４】
また、袋体の密封性を要求されるチャックテープとしては、雄部材(１)と雌部材(２)が咬合状態において、雄部材(１)の頭部（13）と雌部材(２)の円弧状凹部（24）の内面とを密着させることにより、袋体の密封性を確保するようにしていた。
【特許文献１】なし
【考案の開示】
【考案が解決しようとする課題】
【０００５】
しかしながら、上記従来のチャックテープでは、咬合状態において、内側鉤爪（22）の頂部（22a）と雄用帯状基部（11）との間に間隔（イ）が生じてしまう。つまり、内容物が入る内側の咬合状態を深くしているため、雄部材(１)の頭部（13）が雌部材(２)の内側鉤爪（22）と咬合させるには、咬合するまで頭部（13）を押し込む必要があり、内側鉤爪（22）の頂部（22a）が雄部材(１)の雄用帯状基部（11）に当接しないようにさせていた。従って、完全に雄部材(１)と雌部材(２)が咬合した状態ではどうしても内側鉤爪（22）の頂部（22a）と雄用帯状基部（11）との間に間隔（イ）が生じているため、この手のチャックテープを取付けた袋体内の内容物、特に紛体、粒状物等がこの隙間（イ）の奥に入り込み、それが袋を開封した際に雌部材(２)の円弧状凹部（24）内まで入り込み、この入り込んだ内容物が邪魔になりチャックテープの再封鎖ができないという問題点を有していた。
【０００６】
また、従来の袋体に密封性を有するチャックテープにおいては、雄部材(１)の頭部（13）と雌部材(２)の円弧状凹部（24）の内面とが密着しているだけであるため、袋体の内圧が高くなると、内圧が密着した頭部（13）と円弧状凹部（24）の間に直接作用し、密着状態が解除され易く、充分な密封性を確保できないという問題点を有していた。
【０００７】
本考案は、上記問題点に鑑み、これを解消するものであり、チャックテープを開封しても袋体内の内容物がチャックテープの雌部材(２)の円弧状凹部（24）内に入り込まず、確実に再封鎖できるチャックテープを提供することを目的とする。
【０００８】
本考案の他の目的は、袋体内の密封性を充分確保できるチャックテープを提供することである。
【課題を解決するための手段】
【０００９】
本考案は、雄用帯状基部（11）に連結部（12）を介して頭部（13）が形成された雄部材(１)と、雌用帯状基部（21）に内側鉤爪（22）と外側鉤爪（23）が形成された雌部材(２)とを備え、前記頭部（13）が前記内側鉤爪（22）と前記外側鉤爪（23）に咬合可能なチャックテープにおいて、前記雄部材(１)と前記雌部材(２)とが咬合状態で、少なくとも、前記内側鉤爪（22）の頂部（22a）と前記雄用帯状基部（11）とを当接させたことを特徴とする。
【００１０】
前記内側鉤爪（22）の頂部（22a）が、外側鉤爪（23）の頂部（23a）よりも高くするのが好ましい。
【００１１】
また本考案では、前記内側鉤爪（22）の前記頂部（22a）が、弾性変形可能な接触帯片（22b）を突出するのがよい。
【００１２】
また本考案では、前記内側鉤爪（22）の頂部（22a）と、前記外側鉤爪（23）の頂部（23a）との両方を前記雄用帯状基部（11）と当接させるのが好ましい。
【００１３】
また本考案では、前記内側鉤爪（22）の前記頂部（22a）と、前記外側鉤爪（23）の前記頂部（23a）が、弾性変形可能な接触帯片（22b），（23b）をそれぞれ突出して成るものが好ましい。
【００１４】
また本考案では、前記頭部（13）が、前記雌部材（２）の円弧状凹部（24）内面と密着させるのが好ましい。
【００１５】
本考案でいう咬合状態とは、雄部材(１)の頭部（13）が雌部材(２)の円弧状凹部（24）内に嵌入し、且つ、雄部材(１)の内側係止部（14）と雌部材(２)の内側鉤爪（22）、雄部材(１)の外側係止部（15）と雌部材(２)の外側鉤爪（23）とがそれぞれ咬合し、雄部材(１)と雌部材(２)が互いに噛み合った状態で結合した状態をいう。
【考案の効果】
【００１６】
本考案は、雄部材(１)と雌部材(２)とが咬合状態で、内側鉤爪（22）の頂部（22a）と前記雄用帯状基部（11）とを当接させたことにより、このチャックテープを使用した袋体においては、開封時に内容物、特には紛体、粒状物等が雌部材(２)内に入り込まず、再封鎖時に雄部材(１)と雌部材(２)との咬合が確実に行える。
【００１７】
また、雌部材(２)の円弧状凹部（24）内に内容物が入り込まないため、再封鎖時に内容物で雄部材(１)と雌部材(２)を損傷させることがなく、開閉操作が繰り返し行え、耐久性の向上をもたらす。
【００１８】
更に、内側鉤爪（22）が、その頂部（22a）に弾性変形可能な接触帯片（22b）を突出して一体形成したことにより、雄部材(１)と雌部材(２)を咬合する際に、頂部（22a）の接触帯片（22b）が弾性変形するため、容易に雄部材(１)を雌部材(２)内に挿入でき、確実に咬合できる。且つ雄部材(１)と雌部材(２)とが咬合した状態においては、接触帯片（22b）が弾性で元に戻り、雄用帯状基部（11）と当接した状態を保ち、内容物が雌部材(２)内に入り込むのを防止する役目を成す。
【００１９】
また、本考案の請求項４においては、一般に、咬合状態でのチャックテープを袋体に接着させる際に、雄用帯状基部（11）と雌用帯状基部（21）の外側融着面に袋体の基材フィルムを熱シール装置に通して熱融着させるが、頂部（22a）と頂部（23a）の両方を雄用帯状基部（11）と当接させたことにより、雄用帯状基部（11）と雌用帯状基部（21）は熱シール装置で押圧されても平行状態を維持すると共に、厚みの変動もなく、一定の押圧力で融着面の全面を基材フィルムに対し、確実に融着することができ、融着の安定性を確保できる。
【００２０】
更に、本考案の請求項６においては、少なくとも、内側鉤爪（22）の頂部（22a）と雄用帯状基部（11）とを当接し、更に頭部（13）が円弧状凹部（24）の内面と密着させたことにより、２段階の密封手段を有し、袋体内の内圧が頂部（22a）と雄用帯状基部（11）との当接部分で相当減圧され、頭部（13）と円弧状凹部（24）の内面との密着した部分には内圧が余り加わらないので、密封性が保たれる。つまり、本考案では上記２段階の密封手段を有しており、これにより確実に密封性を高めている。特に、頂部（22a）が接触帯片（22b）に形成したものは、その第１段階での密封性が高く、後の頭部（13）が円弧状凹部（24）の内面と密着させた第２段階での密封性と合せてより強力な密封性を有する。
【考案を実施するための最良の形態】
【００２１】
以下、本考案の実施形態につき説明する。先ず図について説明すると、図１は本考案の咬合状態を示す説明図、図２は本考案の分離状態の説明図、図３は本考案の雌部材における他の実施形態を示す説明図、図４は本考案の実施形態における咬合する際の説明図、図５は本考案の他の実施形態の咬合状態を示す説明図、図６は本考案の他の実施形態の咬合状態を示す説明図、図７は本考案の雌部材における他の実施形態を示す説明図、図８は従来のチャックテープの説明図である。
【００２２】
図１、２に示すように、 (１)は雄用帯状基部（11）に連結部（12）を介して頭部（13）を一体形成させた雄部材であり、頭部（13）の両側には突出する内側係止部（14）と外側係止部（15）とを形成している。
【００２３】
（２）は雌用帯状基部（21）に内側鉤爪（22）と外側鉤爪（23）を形成した雌部材であり、内側鉤爪（22）と外側鉤爪（23）とで囲まれた空間が円弧状凹部(24)である。
【００２４】
そして、雄部材(１)と雌部材(２)とは、咬合状態において、内容物が入る側の咬合状態を強固にするため、雄部材(１)の内側係止部（14）と雌部材(２)の内側鉤爪（22）との咬合を、外側係止部（15）と外側鉤爪（23）の咬合よりも深くしている。つまり、雄部材(１)では内側係止部（14）が外側係止部（15）よりも長くし、雌部材(２)では内側鉤爪（22）が外側鉤爪（23）よりも長くしているのである。また、少なくとも内側鉤爪（22）の頂部（22a）は上方に適宜伸長させたものである。この伸長は頂部（22a）右斜め上方にするのが好ましく、伸長の高さとしては、雄部材(１)と雌部材(２)とが咬合状態で頂部（22a）が雄用帯状基部（11）と当接する高さに設定される。この頂部（22a）の高さは、余り高過ぎると雄部材(１)と雌部材(２)との咬合状態ができなくなり、反対に低過ぎると、咬合状態で頂部（22a）と雄用帯状基部（11）とが当接できず間隔ができる。従って、頂部（22a）の高さの設定は、重要であり、特に雄部材(１)の内側係止部（14）と雌部材(２)の内側鉤爪（22）とが咬合する深さの度合によっても変わるので、これらを含めて咬合状態で丁度当接する高さに設定するのがよい。
【００２５】
また請求項２においては、雌部材(２)の内側鉤爪（22）の頂部（22a）を外側鉤爪（23）の頂部（23a）よりも高くし、雄部材(１)と雌部材(２)との咬合状態で内側鉤爪（22）のみが雄用帯状基部（11）と当接するようにさせている。
【００２６】
請求項３においては、図３、５に示すように、雌部材(２)の内側鉤爪（22）の頂部（22a）が、弾性変形可能な接触帯片（22b）を一体成形にて突出させている。
【００２７】
頂部（22a）の一部であるこの接触帯片（22b）は弾性変形可能なことが条件であり、しかも通常雌部材(２)はこの接触帯片（22b）を含め押出成形にて一体成形されるため、材質的にもよるが、薄いと弾性が弱く、反対に余り厚いと変形が困難となる。従って、接触帯片（22b）の厚さは、雄部材(１)と雌部材(２)とを咬合させる際に弾性変形可能な厚さに設定される。また、接触帯片（22b）の高さは、弾性変形が可能なため、雄部材(１)と雌部材(２)との咬合状態で雄用帯状基部（11）と充分当接する高さとすればよい。また、接触帯片（22b）は頂部（22a）から内容物（右側）に適宜傾斜させて上方に突出させるのがよく、この場合には接触帯片（22b）が内容物側に曲って雄用帯状基部（11）と当接し、内容物側のシール効果を高めるのに好ましい。
【００２８】
次に図４を基に本考案の雄部材(１)と雌部材(２)との咬合する際の状態を説明する。
【００２９】
先ず、図４の（ａ）に示す如く、咬合する際に雄部材(１)の頭部（13）が雌部材(２)の内外側の両鉤爪（22），（23）間に入り込むと、両鉤爪（22），（23）は外側に開き、雄部材(１)が雌部材(２)の円弧状凹部(24)内に挿入する態勢となる。
【００３０】
そして、図４の（ｂ）に示すように、次いで、雄部材(１)の頭部（13）が雌部材(２) の円弧状凹部（24）内に進入し、雄部材(１)の頭部（13）が内側鉤爪（22）を更に外側に広げるため、雌部材(２)の頂部（22a）は円弧状軌跡を描いて外側に移動するので、雄用帯状基部（11）に当接せずに外側にずれて移動する。従って、雄部材(１)の頭部（13）が雌部材(２)内に更に挿入される。
【００３１】
やがて、図４の（ｃ）に示すように、雄部材(１)の頭部（13）の内外側の両係止部（14），（15）と、雌部材(２)の内外側の両鉤爪（22），（23）とが咬合可能な状態となり、この時点で押圧を中止すると、雌部材(２)の外側に開いた内外側の両鉤爪（22），（23）が内側に戻り、雄部材(１)と雌部材(２)とが咬合状態となる。この際に、内側鉤爪（22）の頂部（22a）は雄用帯状基部（11）と当接しながら内側にずれながら移動し止まる。
【００３２】
この咬合状態が完了して袋体等が封鎖された状態においてのチャックテープは、内容物側は雄用帯状基部（11）に内側鉤爪（22）の頂部（22a）が当接されて封鎖されているため内容物がそれ以上頂部（22a）より外側に移動されず、雄部材(１)の連結部（12）の内側に留まることがなく、従って、袋を開封した際に内容物が雌部材(２)内に入り込むことがないのである。また、雄部材(１)と雌部材(２)とが咬合した状態では、雄部材(１)と雌部材(２)とがロックした状態となり、上下方向の移動がないため、常時頂部（22a）は雄用帯状基部（11）と当接し、内容物が入り込む余地もないのである。
【００３３】
また、本考案の請求項４においては、図６に示すように、雄部材(１)の外側鉤爪（23）の頂部（23a）を内側鉤爪（22）の頂部（22a）と同じ高さにしている。そして、雄部材(１)と雌部材(２)との咬合状態において、両頂部（22a），（23a）の両方が雄用帯状基部（11）と当接させている。これにより、咬合状態では、雄用帯状基部（11）は両頂部（22a），（23a）の両方が当接しているため、雄用帯状基部（11）と雌用帯状基部（21）とが平行状態を維持する。このことは両帯状基部（11）,（21）の外側の融着面も融着時の押圧に対して安定した平行状態を保ち、袋体との融着を確実に行える。
【００３４】
また、本考案の請求項５では、図６に示すように、雄部材(１)の頭部（13）が雌部材（２）の円弧状凹部（24）の内面と同形状に形成し、咬合状態で頭部（13）と円弧状凹部（24）の内面が密着するようにさせ、この部分の密封性を有し、これと前記した頂部（22a）の当接する密封性の２段階での密封性により、袋体の内圧に対し、強力なシール効果を発揮するのである。
【００３５】
更に、本考案の請求項６では、図７に示すように雄部材(１)の両頂部（22a），（23a）が弾性変形可能な接触帯片（22b）,（23b）をそれぞれ突出して形成している。これにより両頂部（22a），（23a）が弾性変形するため、雄用帯状基部（11）と当接させるのに寸法的な設定が簡単となり、且つ、当接状態においても、常時弾性的に当接しているため、雄用帯状基部（11）が動いても当接を維持し、雄用帯状基部（11）と雌用帯状基部（21）との平行状態も維持される。
【図面の簡単な説明】
【００３６】
【図１】本考案の咬合状態を示す説明図である。
【図２】本考案の分離状態の説明図である。
【図３】本考案の雌部材における他の実施形態を示す説明図である。
【図４】本考案の他の実施形態における咬合する際の説明図である。
【図５】本考案の他の実施形態の咬合状態を示す説明図である。
【図６】本考案の他の実施形態の咬合状態を示す説明図である。
【図７】本考案の雌部材における他の実施形態を示す説明図である。
【図８】従来のチャックテープの説明図である。
【符号の説明】
【００３７】
１  雄部材
11  雄用帯状基部
12  連結部
13  頭部
２  雌部材
21  雌用帯状基部
22  内側鉤爪
22a  頂部
23a  頂部
22b  接触帯片
23b  接触帯片
23  外側鉤爪
24  円弧状凹部
【図１】
0003117351.tif 000003
【図２】
0003117351.tif 000004
【図３】
0003117351.tif 000005
【図４】
0003117351.tif 000006
【図５】
0003117351.tif 000007
【図６】
0003117351.tif 000008
【図７】
0003117351.tif 000009
【図８】
0003117351.tif 000010